(57)【要約】【課題】薬剤を含む粘着体が便器の内面に付着することによって形成される付着体の有する機能を向上させることが可能な粘着体の付与方法を提供すること。【解決手段】便器の内面に流動性を有するとともに薬剤を含む粘着体を付着させる粘着体の付与方法であって、粘着体を収容する収容部と、収容部内の粘着体を吐出するための吐出口と、を有する容器の収容部に粘着体を装填することと、便器の内面（Ｓ）に対して吐出口から粘着体を吐出させることにより、粘着体を、便器の内面（Ｓ）上に並ぶとともにそれぞれが当該内面（Ｓ）から隆起する複数の隆起部（５）を有しかつ互いに隣接する隆起部（５）の間に凹み（６）を有する形状に当該内面（Ｓ）に付着させることと、を含むこと。【選択図】図５
2015193984.tif 000002
【特許請求の範囲】
【請求項１】
便器の内面に流動性を有するとともに薬剤を含む粘着体を付着させる方法であって、
前記粘着体を収容する収容部と、当該収容部内の前記粘着体を吐出するための吐出口と、を有する容器の当該収容部に前記粘着体を装填することと、
前記便器の内面に対して前記吐出口から前記粘着体を吐出させることにより、当該粘着体を、前記便器の内面上に並ぶとともにそれぞれが当該内面から隆起する複数の隆起部を有しかつ互いに隣接する隆起部の間に凹みを有する形状に当該内面に付着させることと、を含む、便器への粘着体の付与方法。
【請求項２】
請求項１に記載の便器への粘着体の付与方法において、
前記容器として複数の箇所に前記吐出口を有するものを用い、各吐出口から前記便器の内面に対して同時に前記粘着体を吐出させることにより、当該各吐出口から吐出された前記粘着体によって前記隆起部を形成する、便器への粘着体の付与方法。
【請求項３】
請求項１または２に記載の便器への粘着体の付与方法において、
前記粘着体を、前記複数の隆起部のうち互いに隣接する隆起部同士が前記凹みを介して連なる形状に前記便器の内面に付着させる、便器への粘着体の付与方法。
【請求項４】
流動性を有するとともに便器の内面に付着可能で、かつ薬剤を含む粘着体と、
前記粘着体を収容する容器と、を備え、
前記容器は、前記粘着体を収容する収容部と、当該収容部内の前記粘着体を吐出するための吐出口と、を有し、
前記吐出口は、当該吐出口から吐出される前記粘着体を、前記便器の内面上に並ぶとともにそれぞれが当該内面から隆起する複数の隆起部を有しかつ互いに隣接する隆起部の間に凹みを有する形状で当該内面に付着させる形状を有する、便器用器具。
【請求項５】
請求項４に記載の便器用器具において、
前記容器は複数の箇所にそれぞれ前記吐出口を有し、これらの吐出口は、当該各吐出口から前記便器の内面に対して吐出される粘着体によって前記複数の隆起部を形成する形状を有する、便器用器具。
【請求項６】
請求項５に記載の便器用器具において、
前記吐出口は、当該吐出口から吐出される前記粘着体を、前記複数の隆起部のうち互いに隣接する隆起部同士が前記凹みを介して連なる形状で前記便器の内面に付着させる形状を有する、便器用器具。
【請求項７】
請求項５又は６に記載の便器用器具において、
前記各吐出口は放射状に配列されている、便器用器具。
【発明の詳細な説明】
【技術分野】
【０００１】
本発明は、流動性を有する粘着体を便器の内面に付着させるための粘着体の付着方法及びそれに用いる便器用器具に関する。
【背景技術】
【０００２】
従来、流動性を有する粘着体を収容するとともに、この粘着体が便器の内面に付着するように当該粘着体を吐出するための便器用器具が知られている。例えば特許文献１には、流動性を有する粘着体と、この粘着体を収容する管状本体と、管状本体内から前記粘着体を押し出すプランジャと、を備える便器用器具が開示されている。前記粘着体には、芳香成分や殺菌成分等を有する薬剤が含まれている。前記プランジャにより前記管状本体外へ押し出された粘着体は、便器の内面に付着する。
【０００３】
前記管状本体は、前記粘着体を収容する筒状の収容部と、収容部内の粘着体を吐出するための吐出口を有するオリフィスと、このオリフィスの周囲を取り囲む形状のシュラウドと、を有している。前記オリフィスは、前記収容部のうち前記粘着体の吐出方向における先端に接続されている。前記シュラウドは、前記収容部のうち前記吐出方向の先端でかつ前記吐出方向と直交する方向について前記オリフィスの外側に接続されている。前記シュラウドの前記収容部からの突出量は、前記オリフィスのそれよりも大きく設定されている。つまり、シュラウドの先端が便器の内面に当接することにより、当該内面と前記オリフィスの先端との間に空間が形成される。
【０００４】
前記プランジャは、前記収容部の内側で当該収容部に対してこの収容部の軸方向に相対変位可能な形状を有する。このプランジャが前記収容部内を前記軸方向に沿って当該収容部の先端に向かって変位することにより、前記収容部内の粘着体が前記オリフィスの吐出口から押し出される。
【０００５】
この便器用器具を用いて便器の内面に前記粘着体を付着させるには、まず、前記シュラウドの先端を便器の内面に当接させる。この状態で、便器の内面のうち前記シュラウドの先端の内側の領域と前記オリフィスの先端との間には、空間が形成されている。そして、前記プランジャを便器の内面に向かって前記収容部に対して相対変位させる。そうすると、前記収容部内の粘着体が前記オリフィスの吐出口から押し出され、便器の内面に付着する。具体的に、前記粘着体は、前記オリフィスの吐出口から吐出されて便器の内面のうち前記シュラウドの先端の内側の領域の略中央に接触した後、前記空間内を前記シュラウドの先端側に向かって広がるように流動し、便器の内面から隆起する形状で当該内面に付着する。
【先行技術文献】
【特許文献】
【０００６】
【特許文献１】特表２００９−５００２５４号公報
【発明の概要】
【発明が解決しようとする課題】
【０００７】
特許文献１に記載されるような便器用器具では、粘着体が便器の内面に付着することにより形成される付着体の有する機能（芳香機能、洗浄機能又は殺菌機能等）の向上が求められている。
【０００８】
本発明の目的は、薬剤を含む粘着体が便器の内面に付着することによって形成される付着体の有する機能を向上させることが可能な粘着体の付与方法及び便器用器具を提供することである。
【課題を解決するための手段】
【０００９】
前記課題を解決するための手段として、本発明は、便器の内面に流動性を有するとともに薬剤を含む粘着体を付着させる方法であって、前記粘着体を収容する収容部と、当該収容部内の前記粘着体を吐出するための吐出口と、を有する容器の当該収容部に前記粘着体を装填することと、前記便器の内面に対して前記吐出口から前記粘着体を吐出させることにより、当該粘着体を、前記便器の内面上に並ぶとともにそれぞれが当該内面から隆起する複数の隆起部を有しかつ互いに隣接する隆起部の間に凹みを有する形状に当該内面に付着させることと、を含む、便器への粘着体の付与方法を提供する。
【００１０】
本付与方法では、粘着体を、複数の隆起部を有しかつ互いに隣接する隆起部の間に凹みを有する形状に便器の内面に付着させるので、粘着体が便器の内面に付着することによって形成される付着体の表面積が大きく確保される。よって、この付着体と大気との接触面積及び当該付着体と洗浄水との接触面積がいずれも大きく確保されるので、付着体の有する機能が向上する。具体的に、前記薬剤に芳香成分が含まれる場合、当該芳香成分は付着体の表面の全体から揮散するので、付着体の表面積が大きく確保されることによって芳香機能が向上する。また、前記薬剤に洗浄成分が含まれる場合、当該洗浄成分は、付着体の表面に接触した洗浄水とともに便器の内面に拡散するので、付着体の表面積が大きく確保されることによって洗浄機能が向上する。
【００１１】
この場合において、前記容器として複数の箇所に前記吐出口を有するものを用い、各吐出口から前記便器の内面に対して同時に前記粘着体を吐出させることにより、当該各吐出口から吐出された前記粘着体によって前記隆起部を形成することが好ましい。
【００１２】
このようにすれば、一度の吐出操作によって前記複数の隆起部及び隆起部間の凹みを有する付着体を形成することが可能となる。
【００１３】
また、本発明において、前記粘着体を、前記複数の隆起部のうち互いに隣接する隆起部同士が前記凹みを介して連なる形状に前記便器の内面に付着させることが好ましい。
【００１４】
また、本発明は、流動性を有するとともに便器の内面に付着可能で、かつ薬剤を含む粘着体と、前記粘着体を収容する容器と、を備え、前記容器は、前記粘着体を収容する収容部と、当該収容部内の前記粘着体を吐出するための吐出口と、を有し、前記吐出口は、当該吐出口から吐出される前記粘着体を、前記便器の内面上に並ぶとともにそれぞれが当該内面から隆起する複数の隆起部を有しかつ互いに隣接する隆起部の間に凹みを有する形状で当該内面に付着させる形状を有する、便器用器具を提供する。
【００１５】
本便器用器具では、吐出口を便器の内面に向けた姿勢で収容部内の粘着体を吐出することにより、便器の内面には、粘着体が、複数の隆起部を有しかつ互いに隣接する隆起部の間に凹みを有する形状で付着する。このため、粘着体が便器の内面に付着することによって形成される付着体の表面積が大きく確保される。よって、この付着体と大気との接触面積及び当該付着体と洗浄水との接触面積がいずれも大きく確保されるので、付着体の有する機能が向上する。
【００１６】
この場合において、前記容器は複数の箇所にそれぞれ前記吐出口を有し、これらの吐出口は、当該各吐出口から前記便器の内面に対して吐出される粘着体によって前記複数の隆起部を形成する形状を有することが好ましい。
【００１７】
このようにすれば、一度の吐出操作によって前記複数の隆起部及び隆起部間の凹みを有する付着体を形成することが可能となる。
【００１８】
具体的に、前記吐出口は、当該吐出口から吐出される前記粘着体を、前記複数の隆起部のうち互いに隣接する隆起部同士が前記凹みを介して連なる形状で前記便器の内面に付着させる形状を有することが好ましい。
【００１９】
また、本発明において、前記各吐出口は放射状に配列されていることが好ましい。
【００２０】
このようにすれば、前記複数の隆起部及び隆起部間の凹みを有する付着体を容易に形成することができる。
【発明の効果】
【００２１】
以上のように、本発明によれば、薬剤を含む粘着体が便器の内面に付着することによって形成される付着体の有する機能を向上させることが可能な粘着体の付与方法及び便器用器具を提供することができる。
【図面の簡単な説明】
【００２２】
【図１】本発明の第一実施形態の便器用器具の正面図である。
【図２】図１に示すＩＩ−ＩＩ線での断面図である。
【図３】図２に示す中栓の斜視図である。
【図４】便器用器具の使用態様を示す図である。
【図５】粘着体が便器の内面に付着することにより形成された付着体の斜視図である。
【図６】本発明の第二実施形態の便器用器具の使用態様を示す図である。
【図７】図６に示す便器用器具の吐出口の平面図である。
【図８】図７に示される吐出口から吐出された粘着体が便器の内面に接触した瞬間を示す平面図である。
【図９】図７に示される吐出口から吐出されることにより形成された付着体の平面図である。
【図１０】第二実施形態の便器用器具の吐出口の第一変形例の平面図である。
【図１１】図１０に示される吐出口から吐出された粘着体が便器の内面に接触した瞬間を示す平面図である。
【図１２】図１０に示される吐出口から吐出されることにより形成された付着体の平面図である。
【図１３】第二実施形態の便器用器具の吐出口の第二変形例の平面図である。
【図１４】図１３に示される吐出口から吐出された粘着体が便器の内面に接触した瞬間を示す平面図である。
【図１５】図１３に示される吐出口から吐出されることにより形成された付着体の平面図である。
【図１６】第二実施形態の便器用器具の吐出口の第三変形例の平面図である。
【図１７】図１６に示される吐出口から吐出された粘着体が便器の内面に接触した瞬間を示す平面図である。
【図１８】図１６に示される吐出口から吐出されることにより形成された付着体の平面図である。
【図１９】第二実施形態の便器用器具の吐出口の第四変形例の平面図である。
【図２０】図１９に示される吐出口から吐出された粘着体が便器の内面に接触した瞬間を示す平面図である。
【図２１】図１９に示される吐出口から吐出されることにより形成された付着体の平面図である。
【発明を実施するための形態】
【００２３】
以下、本発明を実施するための好ましい形態について、図面を参照しながら詳細に説明する。
【００２４】
（第一実施形態）
本発明の第一実施形態の便器用器具について、図１〜図５を参照しながら説明する。なお、本便器用器具の使用時の姿勢は問われないが、便宜上、以下の説明では、図１に基づいて上下方向を定義する。
【００２５】
本実施形態の便器用器具は、流動性を有するとともに薬剤を含む粘着体２（図４を参照）と、この粘着体２を収容するとともに当該粘着体２を便器の内面Ｓ（図４を参照）に向けて吐出するための容器１０と、を備えている。本実施形態では、容器１０には、粘着体２として、便器の内面に付着可能なゲル強度（２５℃で２００〜２０００ｍＮ程度が好ましい）を有するものが収容される。なお、ゲル強度は、レオメーター（株式会社サン科学製、ＣＲ−５００ＤＸ、データ解析ソフトとしてＲＨＥＯ  ＤＡＴＡ  ＡＮＡＬＩＺＥＲ  ｆｏｒ  ｗｉｎ）を使用して定深度測定法によって測定される。測定方法としては、アダプターの直径を２０ｍｍ、貫入速度を６０ｍｍ／ｍｉｎ、設定距離（貫入の深さ）を２０ｍｍとし、マヨネーズ瓶（柏洋硝子株式会社製、Ｍ−７０）にサンプル５０ｇを入れ、２４時間経過後に測定する。この時、測定された最大荷重をゲル強度とする。この粘着体２に含まれる薬剤は、芳香成分や洗浄成分等を含有している。そして、容器１０を用いて、粘着体２が便器の内面Ｓに付着するように吐出される。
【００２６】
図１及び図２に示されるように、容器１０は、粘着体２を収容する容器本体１２と、容器本体１２に装着される中栓２０と、容器本体１２に装着されるキャップ４０と、を有している。
【００２７】
容器本体１２は、粘着体２を収容可能な収容空間を有する収容部１４と、この収容部１４の上端から上方に延びる接続部１６と、接続部１６の上端から上方に延びる口部１８と、を有している。本実施形態では、収容部１４、接続部１６及び口部１８は、樹脂材料により一体的に成形されている。
【００２８】
収容部１４は、外側から例えば指で押圧を受けることにより前記収容空間の体積を小さくするように内方に撓み変形することが可能な可撓性を有する。
【００２９】
接続部１６は、円筒状に形成されている。この接続部１６は、キャップ４０を取り付けるための雄ねじ部１７を有する。
【００３０】
口部１８は、接続部１６の内径よりも小さな内径を有する円筒状に形成されており、収容部１４内の収容空間を上方に開放する形状を有している。このため、収容部１４を外側から指で押圧することにより、収容部１４内の粘着体２は、収容部１４から口部１８へ向かう押し出し方向に沿って流動し、口部１８から容器本体１２外に流出する。
【００３１】
中栓２０は、容器本体１２の口部１８に装着されることにより、粘着体２を、それぞれが便器の内面Ｓから隆起する複数の隆起部５を有しかつ互いに隣接する隆起部５の間に凹み６を有する形状に当該内面Ｓに付着させることを可能とする部材である。換言すれば、中栓２０は、粘着体２が便器の内面Ｓに付着することによって形成される付着体４（図５を参照）として、複数の隆起部５及び各隆起部５間の凹み６を有する形状のものを便器の内面Ｓに形成することを可能とする部材である。本実施形態では、複数の隆起部５は、互いに隣接する隆起部５同士が凹み６を介して環状に連なる形状で便器の内面Ｓ上に並んでいる。具体的に、中栓２０は、容器本体１２に装着される被装着部２２と、粘着体２を吐出する吐出部３０とを有する。なお、この中栓２０は、容器本体１２と一体的につながった単一の部材で構成されてもよい。
【００３２】
図２及び図３に示されるように、被装着部２２は、円筒状の内筒部２４と、内筒部２４よりも一回り大きな円筒状の外筒部２６と、内筒部２４の上端と外筒部２６の上端とを接続する円環状の接続壁２８とを有する。内筒部２４の外径は、口部１８の内径よりも僅かに大きく設定されている。この内筒部２４を口部１８内に圧入することにより、中栓２０が容器本体１２に装着される。
【００３３】
吐出部３０は、被装着部２２の接続壁２８の外縁から上方に延びる形状を有する。具体的に、吐出部３０は、当該吐出部３０の上端が便器の内面Ｓに当接された状態において、内筒部２４の軸を中心として放射状に並ぶとともにそれぞれが内筒部２４の径方向の外向きに開口する複数の吐出口３０ａを形成する形状を有する。すなわち、吐出部３０は、接続壁２８の外縁のうち周方向に互いに隣接する吐出口３０ａ間を区切る位置から上方に向かって延びる柱状に形成されている。吐出部３０の上端は、便器の内面Ｓに対して面接触可能な平面となっている。
【００３４】
キャップ４０は、前記収容空間を密封するように容器本体１２に装着される。図２に示されるように、キャップ４０は、周壁４２と、周壁４２の上部に接続された上壁４４と、中栓２０に食い込む食い込み部４６とを有する。
【００３５】
周壁４２は、接続部１６の外径よりも一回り大きな内径を有する円筒状を呈する。周壁４２の内周面には、接続部１６の雄ねじ部１７に螺合する雌ねじ部４３が形成されている。
【００３６】
食い込み部４６は、上壁４４の内面に接続されている。食い込み部４６は、雄ねじ部１７と雌ねじ部４３とが螺合することにより中栓２０の接続壁２８の上面に食い込む形状を有する。この食い込み部４６が接続壁２８に食い込むことにより前記収容空間が密封される。
【００３７】
次に、本便器用器具を用いて粘着体２を便器の内面Ｓに付着させる方法について、図４及び図５を参照しながら説明する。なお、図４では、一つの吐出口３０ａから吐出された粘着体２のみが示されている。
【００３８】
まず、容器本体１２からキャップ４０を取り外す。そして、吐出部３０の先端を便器の内面Ｓに当接させた状態（図４に示される状態）で収容部１４を外側から指で押圧する。そうすると、収容部１４内の粘着体２は、前記押し出し方向に沿って（図４の下方に向かって）流動することによって便器の内面Ｓのうち吐出部３０の内側の領域に接触した後、放射状に配置された各吐出口３０ａに向かって径方向の外向きに流動して当該吐出口３０ａから放射状に吐出される。各吐出口３０ａから吐出されたそれぞれの粘着体２は、便器の内面Ｓ上を径方向の外向きに広がるように流動しながら当該粘着体２と周方向に隣接する位置で径方向の外向きに広がるように流動している粘着体２と合流する。これにより、図５に示されるように、便器の内面Ｓには、互いに隣接する隆起部５同士が凹み６を介して環状に連なる複数の隆起部５を有する形状（花びら状）の付着体４が形成される。
【００３９】
以上のように、本実施形態の便器への粘着体２の付与方法では、粘着体２を、複数の隆起部５を有しかつ互いに隣接する隆起部５の間に凹み６を有する形状に便器の内面Ｓに付着させるので、粘着体２が便器の内面Ｓに付着することによって形成される付着体４の表面積が大きく確保される。よって、この付着体４と大気との接触面積及び当該付着体４と洗浄水との接触面積がいずれも大きく確保されるので、付着体４の有する機能が向上する。具体的に、付着体４に含まれる芳香成分は、付着体４の表面の全体から揮散するので、付着体４の表面積が大きく確保されることによって芳香機能が向上する。また、付着体４に含まれる洗浄成分は、付着体４の表面に接触した洗浄水とともに便器の内面Ｓに拡散するので、付着体４の表面積が大きく確保されることによって洗浄機能が向上する。
【００４０】
このことは、容器１０として、上記のように、複数の箇所に吐出口３０ａを有し、各吐出口３０ａから便器の内面Ｓに対して同時に粘着体２を吐出させることにより当該各吐出口３０ａから吐出された粘着体２によって隆起部５を形成することが可能なものが用いられることによって達成される。換言すれば、本実施形態の容器１０では、吐出部３０の先端を便器の内面Ｓに当接させた状態で収容部１４を指で押圧することにより、一度の吐出操作（収容部１４の押圧）によって複数の隆起部５及び隆起部５間の凹み６を有する付着体４を形成することが可能となる。
【００４１】
（第二実施形態）
次に、本発明の第二実施形態の便器用器具について、図６〜図９を参照しながら説明する。本実施形態では、吐出部３０の形状が第一実施形態のそれと異なっている。なお、この第二実施形態では、第一実施形態と異なる部分についてのみ説明を行い、第一実施形態と同じ構造、作用及び効果の説明は省略する。
【００４２】
本実施形態の吐出部３０は、被装着部２２の接続壁２８の内側につながる吐出壁３２と、接続壁２８の外縁から径方向の外向きに延びる延長壁３４と、吐出壁３２と便器の内面Ｓとの間に空間が形成されるように延長壁３４の外縁から前記押し出し方向に沿って（図６の下方に向かって）延びる空間形成壁３６と、を有する。
【００４３】
吐出壁３２は、吐出口３０ａを有しており、当該吐出口３０ａを除いて接続壁２８の内側の領域を塞ぐ形状を有する。図７に示されるように、吐出口３０ａは、放射状に並ぶ複数の箇所（本実施形態では４箇所）に設けられている。
【００４４】
続いて、本便器用器具を用いて粘着体２を便器の内面Ｓに付着させる方法を説明する。
【００４５】
まず、第一実施形態と同様に、容器本体１２からキャップ４０を取り外す。そして、吐出部３０における空間形成壁３６の先端を便器の内面Ｓに当接させた状態（図６に示される状態）で収容部１４を外側から指で押圧する。そうすると、収容部１４内の粘着体２は、前記押し出し方向に沿って（図６の下方に向かって）流動することによって吐出壁３２に形成された各吐出口３０ａから吐出されて便器の内面Ｓのうち空間形成壁３６の内側の領域に接触する（図８を参照）。その後、各粘着体２は、図８の二点鎖線で示されるように、当該粘着体２の外形を外向きに広げるように、より具体的には、粘着体２の外縁のすべての部位が外向きに等しい距離Ｌだけ広がるように便器の内面Ｓ上を流動しながら、当該粘着体２と周方向に隣接する位置で外向きに広がるように流動している粘着体２と合流する。なお、図８では、一つの粘着体２の挙動のみが示されている。これにより、図９に示されるように、便器の内面Ｓには、互いに隣接する隆起部５同士が凹み６を介して環状に連なる複数の隆起部５を有する形状（花びら状）の付着体４が形成される。なお、図９では、各吐出口３０ａが破線で示されており、各吐出口３０ａから吐出されたそれぞれの粘着体２の仮想的な外形が二点鎖線で示されている。
【００４６】
以上のように、本実施形態においても付着体４の表面積が大きく確保されるので、付着体４の有する機能が向上し、しかも、一度の吐出操作によって複数の隆起部５及び隆起部５間の凹み６を有する付着体４を形成することができる。
【００４７】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
例えば、上記第一及び第二実施形態では、収容部１４を外側から指で押圧することによって粘着体２を便器の内面Ｓに付着させる例が示されたが、特許文献１で開示された便器用器具のように、プランジャによって管状本体から粘着体を押し出す仕様であってもよい。
【００４９】
また、上記第二実施形態では、吐出口３０ａが放射状に並ぶ４箇所に設けられた例が示されたが、吐出口３０ａは、以下の第一変形例〜第四変形例に示される形状であってもよい。
【００５０】
（第一変形例）
図１０には、第一変形例の吐出口３０ａが示されている。この例では、一対の吐出口３０ａが形成されている。これらの吐出口３０ａは、それぞれ吐出口３０ａの両端の部位が放射状の４箇所に位置するように並ぶ形状に形成されている。これらの吐出口３０ａから吐出された粘着体２は、第二実施形態と同様に、便器の内面Ｓのうち空間形成壁３６の内側の領域に接触した後（図１１を参照）、当該粘着体２の外形を外向きに広げるように流動しながら当該粘着体２と隣接する位置で外向きに広がるように流動している粘着体２と合流する。これにより、図１２に示されるように、便器の内面Ｓには、第二実施形態と略同形状の付着体４が形成される。
【００５１】
（第二変形例）
図１３には、第二変形例の吐出口３０ａが示されている。この例では、吐出口３０ａは、十字形に形成されている。図１４及び図１５に示されるように、本変形例においても、上記第二実施形態と略同形状の付着体４が形成される。
【００５２】
（第三変形例）
図１６には、第三変形例の吐出口３０ａが示されている。この例では、吐出口３０ａは、略ハート形に形成されている。図１７及び図１８に示されるように、本変形例では、凹み６を介して連なる一対の隆起部５を含み、全体として略ハート形を呈する付着体４が形成される。
【００５３】
（第四変形例）
図１９には、第四変形例の吐出口３０ａが示されている。この例では、一対の略楕円形状の吐出口３０ａ及び一つの略三角形状の吐出口３０ａが形成されている。図２０及び図２１に示されるように、本変形例では、上記第三変形例と略同形状の付着体４が形成される。
【符号の説明】
【００５４】
２      粘着体
４      付着体
５      隆起部
６      凹み
１０    容器
１２    容器本体
１４    収容部
１６    接続部
１８    口部
２０    中栓
２２    被装着部
３０    吐出部
３０ａ  吐出口
３２    吐出壁
４０    キャップ
Ｓ      便器の内面
【図１】
2015193984.tif 000003
【図２】
2015193984.tif 000004
【図３】
2015193984.tif 000005
【図４】
2015193984.tif 000006
【図５】
2015193984.tif 000007
【図６】
2015193984.tif 000008
【図７】
2015193984.tif 000009
【図８】
2015193984.tif 000010
【図９】
2015193984.tif 000011
【図１０】
2015193984.tif 000012
【図１１】
2015193984.tif 000013
【図１２】
2015193984.tif 000014
【図１３】
2015193984.tif 000015
【図１４】
2015193984.tif 000016
【図１５】
2015193984.tif 000017
【図１６】
2015193984.tif 000018
【図１７】
2015193984.tif 000019
【図１８】
2015193984.tif 000020
【図１９】
2015193984.tif 000021
【図２０】
2015193984.tif 000022
【図２１】
2015193984.tif 000023